(57)【要約】【課題】プラスチック板に磁石片を簡単な作業で確実に固着することができ、固着後に磁石片が取付け孔から脱落する心配も無い方法を提供する。【解決手段】プラスチック板１２の板面に、磁石片２４に対応する形状の取付け孔２０ａ、２０ｂを形成する工程と、取付け孔に磁石片を装入する工程と、筒状をなす先端部の外周形状が磁石片の外縁形状と相似形でそれより大きく、先端部にテーパ面部３２ａおよび環状平面部３２ｂを有する治具３２を使用し、治具の先端部を加熱してプラスチック板の板面に当接させ、治具先端部の熱でプラスチック板を部分的に溶融させながら治具先端部をプラスチック板に食い込ませ、治具先端部のテーパ面部および環状平面部でプラスチック溶融部分を整形して溶融部分３４で磁石片の外縁部を包み込む工程と、治具をプラスチック板の板面から離間させる工程と、プラスチック板の溶融部分を冷却して再硬化させる工程とを含む。【選択図】図４Ｆ
2014135988.tif 000002
【特許請求の範囲】
【請求項１】
プラスチック板の板面に取付け孔を形成し、その取付け孔に、全体の厚みがプラスチック板と同等もしくはそれより薄い磁石片を装入して固着するプラスチック板への磁石片固着方法において、
前記プラスチック板の板面に、平面視したときに前記磁石片の最も大きい面積を有する部分の外縁形状と相似形でその外縁形状と同等もしくはそれより僅かに大きくかつ当該部分の厚み寸法より深い段付きの取付け孔を形成する工程と、
前記磁石片を前記プラスチック板の取付け孔に、磁石片が取付け孔内に完全に収まるように装入する工程と、
先端部が筒状をなし、その先端部の外周形状が、前記磁石片の最も大きい面積を有する部分の外縁形状と相似形でその外縁形状より大きく、外周先端縁から内方に向かって傾斜したテーパ面部およびそのテーパ面部から軸線方向と直交する方向に延設された平面部を有する治具を使用し、その治具の少なくとも先端部を加熱して、その治具の先端部を前記プラスチック板の板面に、前記取付け孔内の前記磁石片を包囲するように当接させ、治具の先端部の熱でプラスチック板を部分的に溶融させながら治具の先端部をプラスチック板の板面に食い込ませ、治具先端部のテーパ面部および平面部でプラスチックの溶融部分を整形して溶融部分で磁石片の外縁部を包み込む工程と、
前記治具を前記プラスチック板の板面から離間させる工程と、
前記プラスチック板の溶融部分を自然冷却して再硬化させる工程と、
を含むことを特徴とするプラスチック板への磁石片固着方法。
【請求項２】
プラスチック板の板面に取付け孔を形成し、その取付け孔に、全体の厚みがプラスチック板より薄い磁石片を装入して固着するプラスチック板への磁石片固着方法において、
前記プラスチック板の板面に、平面視したときに前記磁石片の最も大きい面積を有する部分の外縁形状と相似形でその外縁形状と同等もしくはそれより僅かに大きくかつ当該部分の厚み寸法より深い有底の取付け孔を形成する工程と、
前記磁石片を前記プラスチック板の取付け孔に、磁石片が取付け孔内に完全に収まるように装入する工程と、
先端部が筒状をなし、その先端部の外周形状が、前記磁石片の最も大きい面積を有する部分の外縁形状と相似形でその外縁形状より大きく、外周先端縁から内方に向かって傾斜したテーパ面部およびそのテーパ面部から軸線方向と直交する方向に延設された平面部を有する治具を使用し、その治具の少なくとも先端部を加熱して、その治具の先端部を前記プラスチック板の板面に、前記取付け孔内の前記磁石片を包囲するように当接させ、治具の先端部の熱でプラスチック板を部分的に溶融させながら治具の先端部をプラスチック板の板面に食い込ませ、治具先端部のテーパ面部および平面部でプラスチックの溶融部分を整形して溶融部分で磁石片の外縁部を包み込む工程と、
前記治具を前記プラスチック板の板面から離間させる工程と、
前記プラスチック板の溶融部分を自然冷却して再硬化させる工程と、
を含むことを特徴とするプラスチック板への磁石片固着方法。
【請求項３】
少なくとも一方が透明である２枚のプラスチック板のうちの一方のプラスチック板の複数個所に磁石片をそれぞれ固着し、もう一方のプラスチック板の、前記一方のプラスチック板の各磁石片固着個所にそれぞれ対応する複数個所に磁石片または磁性体片をそれぞれ固着し、２枚のプラスチック板を、その間に写真や絵葉書を挟んだ状態で重ね合わせて、一方のプラスチック板に固着された複数の磁石片ともう一方のプラスチック板に固着された複数の磁石片または磁性体片との間の吸引力によって２枚のプラスチック板および写真や絵葉書を一体的に保持するフォトフレームの作製方法において、
前記一方のプラスチック板もしくは両方のプラスチック板への磁石片の固着作業を、請求項１または請求項２に記載の方法を用いて行うようにすることを特徴とするフォトフレームの作製方法。
【発明の詳細な説明】
【技術分野】
【０００１】
この発明は、２枚の透明なプラスチック板を、それらの間に写真や絵葉書を挟んだ状態で重ね合わせ、プラスチック板に固着された磁石片の吸引力により２枚のプラスチック板を一体的に保持して写真や絵葉書を卓上や壁面に飾ったりするフォトフレームを作製する場合などにおいて、プラスチック板に磁石片を固着するための方法に関するものであり、また、その磁石片固着方法を用いてフォトフレームを作製するための方法に関する。
【背景技術】
【０００２】
透明なプラスチック板の複数個所に磁石片を埋め込むとともに、本体板にも、プラスチック板に埋め込まれた磁石片と同じ位置関係に磁石片を埋め込み、本体板とプラスチック板との間に写真や絵などを挟んだ状態で本体板とプラスチック板とを重ね合わせ、磁石の吸引力により両板を密着させてその間に写真や絵などを保持するフォトフレームが提案され市販されている（例えば、特許文献１参照。）。このようなフォトフレームを作製する場合において、プラスチック板に磁石片を固着する方法としては、従来、プラスチック板の板面に取付け孔を形成し、その取付け孔に接着剤を注入した後、磁石片を取付け孔に装入して、磁石片を接着剤でプラスチック板に固着するようにしていた。
【先行技術文献】
【特許文献】
【０００３】
【特許文献１】登録実用新案第３０５１３９６号公報（第４頁、図１−図４）
【発明の概要】
【発明が解決しようとする課題】
【０００４】
従来行われているようにプラスチック板に磁石片を接着剤で固着する方法では、取付け孔に注入される接着剤が多過ぎると、磁石片を取付け孔に装入した時に、接着剤が取付け孔内からはみ出て取付け孔周辺を汚すことになる。このため、プラスチック板への磁石片の固着後に余剰の接着剤を拭き取る作業が必要となり、余分な手間がかかることとなる。一方、取付け孔に注入される接着剤が少なかったりすると、また、接着剤の経年変化により接着力が低下したりすると、取付け孔から磁石片が抜け落ちることがある。
【０００５】
この発明は、以上のような事情に鑑みてなされたものであり、プラスチック板に磁石片を簡単な作業で確実に固着することができ、固着後に磁石片が取付け孔から脱落する心配も全く無いプラスチック板への磁石片固着方法を提供すること、ならびに、その磁石片固着方法を用いてフォトフレームを作製する新規な方法を提供することを目的とする。
【課題を解決するための手段】
【０００６】
請求項１に係る発明は、プラスチック板の板面に形成された取付け孔に、全体の厚みがプラスチック板と同等もしくはそれより薄い磁石片を装入して固着するプラスチック板への磁石片固着方法に係るものであって、この方法では、第１の工程として、平面視したときに磁石片の最も大きい面積を有する部分の外縁形状と相似形でその外縁形状と同等もしくはそれより僅かに大きくかつ当該部分の厚み寸法より深い段付きの取付け孔をプラスチック板の板面に形成し、第２の工程として、前記磁石片が前記プラスチック板の取付け孔内に完全に収まるように磁石片を取付け孔に装入し、第３の工程として、プラスチック板を部分的に溶融させてその溶融部分で磁石片の外縁部を包み込むようにする。この第３の工程においては、先端部が筒状をなし、その先端部の外周形状が、前記磁石片の最も大きい面積を有する部分の外縁形状と相似形でその外縁形状より大きく、外周先端縁から内方に向かって傾斜したテーパ面部およびそのテーパ面部から軸線方向と直交する方向に延設された平面部を有する専用の治具を使用する。この治具の少なくとも先端部を加熱して、その治具の先端部を前記プラスチック板の板面に当接させ、治具の筒状先端部で前記取付け孔内の前記磁石片を包囲するようにし、治具の先端部の熱でプラスチック板を部分的に溶融させながら治具の先端部をプラスチック板の板面に食い込ませる。そして、治具先端部のテーパ面部および平面部でプラスチックの溶融部分を整形して溶融部分で磁石片の外縁部を包み込む。さらに、第４の工程として、前記治具を前記プラスチック板の板面から離間させ、第５の工程として、前記プラスチック板の溶融部分を自然冷却して再硬化させる。
【０００７】
請求項２に係る発明は、プラスチック板の板面に形成された取付け孔に、全体の厚みがプラスチック板より薄い磁石片を装入して固着するプラスチック板への磁石片固着方法に係るものであって、この方法では、第１の工程として、平面視したときに磁石片の最も大きい面積を有する部分の外縁形状と相似形でその外縁形状と同等もしくはそれより僅かに大きくかつ当該部分の厚み寸法より深い有底の取付け孔をプラスチック板の板面に形成し、第２の工程として、前記磁石片が前記プラスチック板の取付け孔内に完全に収まるように磁石片を取付け孔に装入し、第３の工程として、プラスチック板を部分的に溶融させてその溶融部分で磁石片の外縁部を包み込むようにする。この第３の工程においては、先端部が筒状をなし、その先端部の外周形状が、前記磁石片の最も大きい面積を有する部分の外縁形状と相似形でその外縁形状より大きく、外周先端縁から内方に向かって傾斜したテーパ面部およびそのテーパ面部から軸線方向と直交する方向に延設された平面部を有する専用の治具を使用する。この治具の少なくとも先端部を加熱して、その治具の先端部を前記プラスチック板の板面に当接させ、治具の筒状先端部で前記取付け孔内の前記磁石片を包囲するようにし、治具の先端部の熱でプラスチック板を部分的に溶融させながら治具の先端部をプラスチック板の板面に食い込ませる。そして、治具先端部のテーパ面部および平面部でプラスチックの溶融部分を整形して溶融部分で磁石片の外縁部を包み込む。さらに、第４の工程として、前記治具を前記プラスチック板の板面から離間させ、第５の工程として、前記プラスチック板の溶融部分を自然冷却して再硬化させる。
【０００８】
請求項３に係る発明は、少なくとも一方が透明である２枚のプラスチック板のうちの一方のプラスチック板の複数個所に磁石片をそれぞれ固着し、もう一方のプラスチック板の、前記一方のプラスチック板の各磁石片固着個所にそれぞれ対応する複数個所に磁石片または磁性体片をそれぞれ固着し、２枚のプラスチック板を、その間に写真や絵葉書を挟んだ状態で重ね合わせて、一方のプラスチック板に固着された複数の磁石片ともう一方のプラスチック板に固着された複数の磁石片または磁性体片との間の吸引力によって２枚のプラスチック板および写真や絵葉書を一体的に保持するフォトフレームの作製方法において、前記一方のプラスチック板もしくは両方のプラスチック板への磁石片の固着作業を、請求項１または請求項２に記載の方法を用いて行うようにすることを特徴とする。
【発明の効果】
【０００９】
請求項１および請求項２に係る各発明の方法を用いてプラスチック板に磁石片を固着するようにすると、専用の治具の先端部を加熱してプラスチック板の盤面に当接させ、磁石片が装入された取付け孔の周縁部に治具の筒状先端部を食い込ませる、といった比較的に簡単な操作により、プラスチックの溶融部分で磁石片の外縁部を包み込み、その溶融部分を再硬化させて磁石片をプラスチック板に一体的に固着することができる。したがって、請求項１および請求項２に係る各発明の方法を使用すると、プラスチック板に磁石片を簡単な作業で確実に固着することができ、固着後に磁石片が取付け孔から脱落する心配も全く無くなる。
【００１０】
請求項３に係る発明の方法を用いてフォトフレームを作製するようにすると、フォトフレームを構成する一方のプラスチック板もしくは両方のプラスチック板に、簡単な作業で確実に磁石片を固着することができるので、フォトフレームの作製が簡易になり、また、固着後に磁石片が取付け孔から脱落する心配も全く無くなるので、品質的にも問題の無いフォトフレームを提供することができる。
【図面の簡単な説明】
【００１１】
【図１】この発明に係る方法を用いて作製されたフォトフレームの１例を示す外観斜視図である。
【図２】図１のＩＩ−ＩＩ矢視断面図である。
【図３】この発明に係る方法を用いてプラスチック板に磁石片を固着した状態の１例を示す部分拡大断面図である。
【図４Ａ】この発明に係るプラスチック板への磁石片固着方法を説明するための図であって、その一工程を示す部分拡大断面図である。
【図４Ｂ】同じく、プラスチック板への磁石片固着方法における一工程を示す部分拡大断面図である。
【図４Ｃ】同じく、プラスチック板への磁石片固着方法における一工程を示す部分拡大断面図である。
【図４Ｄ】同じく、プラスチック板への磁石片固着方法における一工程を示す部分拡大断面図である。
【図４Ｅ】同じく、プラスチック板への磁石片固着方法における一工程を示す部分拡大断面図である。
【図４Ｆ】同じく、プラスチック板への磁石片固着方法における一工程を示す部分拡大断面図である。
【図４Ｇ】同じく、プラスチック板への磁石片固着方法における一工程を示す部分拡大断面図である。
【図５】この発明に係る方法を用いてプラスチック板に磁石片を固着した状態の別の例を示す部分拡大断面図である。
【図６】この発明に係る方法を用いてプラスチック板に磁石片を固着した状態のさらに別の例を示す部分拡大断面図である。
【図７】この発明に係る方法を用いてプラスチック板に磁石片を固着した状態の、図３、図５および図６とは異なる例を示す部分拡大断面図である。
【発明を実施するための形態】
【００１２】
以下、この発明の好適な実施形態について図面を参照しながら説明する。
図１は、この発明に係る方法を用いて作製されたフォトフレームの１例を示す外観斜視図である。このフォトフレーム１０は、２枚の透明なプラスチック板１２、１４を重ね合わせ、それら２枚のプラスチック板１２、１４の間に写真や絵葉書１６を挟んで一体的に保持することができるように構成されている。一方のプラスチック板１２が前面側に配置され、そのプラスチック板１２を透過して写真や絵葉書１６を見ることができる。背面側に配置されるもう一方のプラスチック板１４には、その背面にスタンド１８が取着されている。なお、背面側のプラスチック板１４は、透明でなくても差し支えない。また、図示例のフォトフレーム１０は卓上形式であるが、スタンド１８の代わりに壁掛け用の吊り紐を装着してもよい。
【００１３】
図２に図１のＩＩ−ＩＩ矢視断面図を示すように、２枚のプラスチック板１２、１４にはそれぞれ、複数個所、図示例のものでは上・下の２個所に取付け孔２０、２２が、両プラスチック板１２、１４で互いに対応する位置に形成されており、その各取付け孔１２、１４に磁石片２４、２６がそれぞれ装着されている。プラスチック板１２、１４に対する磁石片２４、２６の固着部分の構造や固着方法は、両プラスチック板１２、１４で同じであるので、以下、前面側のプラスチック板１２について磁石片２４の固着部分の構造や固着方法を説明する。
【００１４】
図３に部分拡大断面図を示す実施形態は、プラスチック板１２に貫通した段付きの取付け孔２０を形成し、その取付け孔２０に、円板を３つ重ねて一体にした形状の磁石片２４を装入して固着するようにしたものである。磁石片２４は、プラスチック板１２の取付け孔２０の周縁部を部分的に熱で溶融させた後に整形し再硬化させた環状再硬化部２８で外縁部が包み込まれることにより、プラスチック板１２に一体的に固定されている。このプラスチック板１２に磁石片２４を固着する一連の工程を、図４Ａ〜図４Ｇに基づいて説明する。
【００１５】
まず、図４Ａに部分拡大断面図を示すように、プラスチック板１２の板面に取付け孔２０を形成する。取付け孔２０は、磁石片２４の中間大径部２４ａに対応する大径孔部２０ａ、および、磁石片２４の下部小径部２４ｂに対応する小径孔部２０ｂからなる段付き孔に形成されている。すなわち、取付け孔２０の大径孔部２０ａは、その平面形状が磁石片２４の中間大径部２４ａと相似形の円形をなし中間大径部２４ａの外縁形状と同等もしくはそれより僅かに大きく形成されており、小径孔部２０ｂは、その平面形状が磁石片２４の下部小径部２４ｂと相似形の円形をなし下部小径部２４ｂの外縁形状と同等もしくはそれより僅かに大きく形成されている。そして、取付け孔２０の大径孔部２０ａは、磁石片２４の中間大径部２４ａの厚み寸法に上部小径部２４ｃの厚み寸法を加えた深さに形成され、小径孔部２０ｂの深さは、磁石片２４の下部小径部２４ｂの厚み寸法と同等である。また、プラスチック板１２の上面側には、大径孔部２０ａの平面形状より大きくて極く浅い円形状の逃し孔３０が形成されている。
【００１６】
上記したようにプラスチック板１２の板面に形成された取付け孔２０に、図４Ｂに示すように磁石片２４を装入する。そして、図４Ｃに示すように、プラスチック板１２の取付け孔２０内に磁石片２４の全体が完全に収まるようにする。
【００１７】
次に、プラスチック板１２の取付け孔２０の周縁部を部分的に溶融させることにより、その溶融部分で磁石片２４の中間大径部２４ａの外縁部を包み込む作業を行う。この作業には、図４Ｄに一部を示すような専用の治具３２が使用される。この治具３２は、先端部（下端部）が円筒状をなしており、その先端部の外周形状が、磁石片２４の中間大径部２４ａの外縁形状と相似形の円形である。この治具３２の先端部の外径寸法は、磁石片２４の中間大径部２４ａの寸法よりも大きくかつ逃し孔３０の内径寸法より僅かに小さく設定されている。そして、治具３２の先端部は、その外周先端縁から内方に向かって傾斜した円錐台状のテーパ面部３２ａに形成されており、そのテーパ面部３２ａから軸線方向と直交する方向に環状平面部３２ｂが延設されている。
【００１８】
治具３２は、その少なくとも先端部を加熱して使用される。この治具３２を、その軸心位置が取付け孔２０の軸心位置と一致するように、かつ、その軸心線がプラスチック板１２の板面に対して直角となるように配置し、治具３２の先端部をプラスチック板１２の板面に当接させる。そして、図４Ｅに示すように、治具３２の円筒状先端部で取付け孔２０内の磁石片２４を包囲するようにして、治具３２の先端部をプラスチック板１２の板面に押し付ける。これにより、治具３２の先端部の熱でプラスチック板１２が部分的に溶融する。このように、プラスチック板１２を部分的に溶融させながら治具３２の先端部をプラスチック板１２の板面に食い込ませることにより、治具３２のテーパ面部３２ａでプラスチックの溶融部分を磁石片２４側へ押して寄せるとともに、環状平面部３２ｂでプラスチックの溶融部分を下向きに押し付ける。逃し孔３０は、このときに治具３２先端部の外周面側のプラスチック溶融部分が流動しプラスチック板１２の表面に漏れ出て盛り上がるのを防止するように機能する。そして、図４Ｆに示すように、治具３２の先端部をプラスチック板１２の板面に対して所定の深さまで食い込ませることにより、治具３２先端部のテーパ面部３２ａおよび環状平面部３２ｂでプラスチックの溶融部分を整形して、溶融部分３４で磁石片２４の中間大径部２４ａの外縁部を包み込むようにする。
【００１９】
磁石片２４の中間大径部２４ａの外縁部がプラスチックの溶融部分３４で包み込まれると、図４Ｆに示すように、治具３２をプラスチック板１２の板面から退出させて離間させ、プラスチックの溶融部分３４を自然冷却して再硬化させる。これにより、磁石片２４は、その中間大径部２４ａの外縁部がプラスチックの環状再硬化部２８で包み込まれてプラスチック板１２に一体的に固定され、磁石片２４がプラスチック板１２に確実に固着される。
【００２０】
上記した実施形態では、円板を３つ重ねて一体にした形状の磁石片２４をプラスチック板１２の取付け孔２０に装入し、その磁石片２４の中間大径部２４ａの外縁部をプラスチックの環状再硬化部２８で包み込んで固着するようにしたが、磁石片は、全体の厚みがプラスチック板１２の厚みと同等もしくはそれより薄いものであれば特にその形状は限定されない。例えば、図５に示すように、円板を２つ重ねて一体にした形状の磁石片３６をプラスチック板１２の取付け孔２０に装入し、その磁石片３６の大径部３６ａの外縁部をプラスチックの環状再硬化部２８で包み込んで固着するような構成であってもよいし、図６に示すように、円板状の磁石片３８をプラスチック板１２の取付け孔２０に装入し、その磁石片３８の外縁部をプラスチックの環状再硬化部２８で包み込んで固着するような構成であってもよい。
【００２１】
また、上記した各実施形態では、プラスチック板１２に貫通した段付きの取付け孔２０を形成し、その取付け孔２０に磁石片２４、３６、３８を装入して固着するようにしたが、図７に示すように、プラスチック板１２の板面に有底の取付け孔４０を形成し、その取付け孔４０に、全体の厚みが取付け孔４０の深さ寸法と同等もしくはそれより薄い磁石片４２を装入し、上記した工程と同様の一連の工程により、磁石片４２の外縁部をプラスチックの環状再硬化部４４で包み込んで固着するような構成としてもよい。
【００２２】
さらに、上記したいずれの実施形態においても、プラスチック板１２の板面に、平面視したときに円形の取付け孔２０、４０を形成し、その取付け孔２０、４０に、平面形状が円形の磁石片２４、３６、３８、４２を装入して固着するようにしたが、取付け孔およびそれに対応する磁石片の平面視したときの形状は、円形に限らず種々の形状、例えば楕円形、多角形等であってもよい。
【産業上の利用可能性】
【００２３】
この発明に係るプラスチック板への磁石片固着方法は、２枚の透明なプラスチック板の間に写真や絵葉書を挟みプラスチック板同士を磁石片の吸引力により接合させて一体的に保持する方式のフォトフレームを作製する場合に好適に利用されるが、そのほか、プラスチック板に形成された取付け孔に磁石片を装入して固着する作業を必要とする製品の作製に広く利用することができる。
【符号の説明】
【００２４】
１０  フォトフレーム
１２、１４  プラスチック板
１６  写真や絵葉書
２０、２２  段付きの取付け孔
２４、２６、３６、３８、４２  磁石片
２４ａ、３６ａ  磁石片の大径部
２８、４４  環状再硬化部
３２  治具
３２ａ  治具のテーパ面部
３２ｂ  治具の環状平面部
３４  プラスチックの溶融部分
４０  有底の取付け孔
【図１】
2014135988.tif 000003
【図２】
2014135988.tif 000004
【図３】
2014135988.tif 000005
【図４Ａ】
2014135988.tif 000006
【図４Ｂ】
2014135988.tif 000007
【図４Ｃ】
2014135988.tif 000008
【図４Ｄ】
2014135988.tif 000009
【図４Ｅ】
2014135988.tif 000010
【図４Ｆ】
2014135988.tif 000011
【図４Ｇ】
2014135988.tif 000012
【図５】
2014135988.tif 000013
【図６】
2014135988.tif 000014
【図７】
2014135988.tif 000015